(57)【特許請求の範囲】
【請求項１】
植付用の苗を載置する左右移動自在な苗載台（４）の下方に、該苗載台（４）の下端側を左右スライド自在に支持し且つ上下移動するエプロン（９）を設け、該エプロン（９）に植付ビーク（１１）によって上記植付用の苗から掻取られた掻取り苗の左右側を植付方向に案内する苗ガイド（１６）を設けた植付機において、上記苗ガイド（１６）が、植付ビーク（１１）による苗の掻取り時に掻取り苗の左右側をガイドする掻取りガイド（１７）と、植付ビーク（１１）による掻取り苗の圃場側への搬送を掻取り苗の左右側においてガイドする搬送ガイド（１８）とからなり、搬送ガイド（１８）によって植付ビーク（１１）による掻取り苗の圃場側への搬送時の搬送通路（２４）を形成し、掻取り苗の搬送時に掻取り苗に当接しながら植付ビーク（１１）の植付作動軌跡（Ａ）に沿って撓み変形することにより掻取り苗を植付方向に案内するシュータ（２８）を、搬送通路（２４）内に位置するように設け、掻取りガイド（１７）をエプロン（９）側に設け、搬送ガイド（１８）及びシュータ（２８）を植付機（１）におけるエプロン（９）及び苗載台（４）の移動に対する固定側に各々設けるにあたり、前記植付ビーク（１１）を備えたプランタケース（３）側に左右方向に横設固定され且つエプロン（９）を上下移動自在に支持するエプロン支持板（５）に前記搬送ガイド（１８）及びシュータ（２８）を取り付けた植付機における苗ガイド。
【請求項２】
掻取りガイド（１７）における掻取り苗の移動通路（２１）を形成せしめる左右両側壁（１７ａ），（１７ｂ）と、搬送ガイド（１８）における掻取り苗の搬送通路（２４）を形成せしめる左右両側壁（１８ａ），（１８ｂ）とを、搬送ガイド（１８）の両側壁（１８ａ），（１８ｂ）間に掻取りガイド（１７）の両側壁（１７ａ），（１７ｂ）が位置するように側面視において重複せしめて、掻取りガイド（１７）と搬送ガイド（１８）とを配置した請求項１の植付機における苗ガイド。
【発明の詳細な説明】
【０００１】
【発明の属する技術分野】
この発明は掻取り苗の左右側を植付方向に案内する植付機における苗ガイドに関する。
【０００２】
【従来の技術と発明が解決しようとする課題】
従来植付け用の苗を載置する左右移動自在な苗載台の下方に植付け用の苗の下端を支持するエプロンを上下移動可能に設け、該エプロンの下方に植付ビークによって掻取られた掻取り苗の左右側を植付方向に案内する苗ガイドを設けた植付機が知られており、一般的に上記苗ガイドはエプロン側又はエプロン及び植付機における苗載台の移動に対する固定側に取り付けられている。
【０００３】
このため植付ビークによる掻き取り量を変更（植付苗の本数を変更）せしめるためにエプロンを上下移動せしめた場合、苗ガイドがエプロン側に取り付けられているものは、エプロンの移動に伴って苗ガイドと植付ビークとの位置関係が変わり、苗の掻き取り時は比較的安定して掻取り苗をガイドするが、その後の掻取り苗の搬送を必ずしも良好な状態でガイドせず、また苗ガイドがエプロンの移動に対する固定側に取り付けられている場合は、エプロンの移動に伴って苗ガイドと植付ビークとの位置関係が変化せず、エプロンと苗ガイドの位置関係が変化するため、苗掻き取り後の圃場側への搬送は比較的安定してガイドするが、苗の掻取り時に必ずしも良好な状態でガイドしないという欠点があった。
【０００４】
【課題を解決するための手段】
上記課題を解決するための本発明の植付機における苗ガイドは、植付用の苗を載置する左右移動自在な苗載台４の下方に、該苗載台４の下端側を左右スライド自在に支持し且つ上下移動するエプロン９を設け、該エプロン９に植付ビーク１１によって上記植付用の苗から掻取られた掻取り苗の左右側を植付方向に案内する苗ガイド１６を設けた植付機において、上記苗ガイド１６が、植付ビーク１１による苗の掻取り時に掻取り苗の左右側をガイドする掻取りガイド１７と、植付ビーク１１による掻取り苗の圃場側への搬送を掻取り苗の左右側においてガイドする搬送ガイド１８とからなり、搬送ガイド１８によって植付ビーク１１による掻取り苗の圃場側への搬送時の搬送通路２４を形成し、掻取り苗の搬送時に掻取り苗に当接しながら植付ビーク１１の植付作動軌跡Ａに沿って撓み変形することにより掻取り苗を植付方向に案内するシュータ２８を、搬送通路２４内に位置するように設け、掻取りガイド１７をエプロン９側に設け、搬送ガイド１８及びシュータ２８を植付機１におけるエプロン９及び苗載台４の移動に対する固定側に各々設けるにあたり、前記植付ビーク１１を備えたプランタケース３側に左右方向に横設固定され且つエプロン９を上下移動自在に支持するエプロン支持板５に前記搬送ガイド１８及びシュータ２８を取り付けたことを第１の特徴としている。
【０００５】
掻取りガイド１７における掻取り苗の移動通路２１を形成せしめる左右両側壁１７ａ，１７ｂと、搬送ガイド１８における掻取り苗の搬送通路２４を形成せしめる左右両側壁１８ａ，１８ｂとを、搬送ガイド１８の両側壁１８ａ，１８ｂ間に掻取りガイド１７の両側壁１７ａ，１７ｂが位置するように側面視において重複せしめて、掻取りガイド１７と搬送ガイド１８とを配置したことを第２の特徴としている。
【０００６】
【発明の実施の形態】
次に本発明の１実施形態を図面に基いて説明する。図１，図２は乗用田植機の走行機体の後方に上下昇降動自在に架設連結される植付装置１の要部側面透視図及び平面図であり、上記植付装置１は従来同様左右方向の角パイプからなる植付装置１のメインフレーム２に取り付けられたプランターケース３，該プランタケース３の上方に左右スライド自在に前傾姿勢で取り付けられている、植付用のマット苗載置用の苗載台４，プランターケース３の下部に取り付けられた接地フロート６，プランタケース３側に回転自在に支持された植付部７等により構成されている。
【０００７】
また上記苗載せ台４の下方には、図３に示されるように従来同様マット苗の下端を支持するエプロン９が設けられているが、該エプロン９は略角パイプ状の台部９ａが、プランタケース３側に左右方向に横設固定された略コの字状断面をなすプレート状のエプロン支持板５に上下平行移動自在にボルト，ナット，スプリング等を介して支持されており、上記苗載台４の下端側が上記台部９ａにスライド自在に嵌合するスライドピース１０を介して上記エプロン９にスライド自在に支持されている。
【０００８】
そして苗載台４は、下方に設けられた苗載台４の横送り機構Ｇにより所定の速度でエプロン９（台部９ａ）をガイドに往復横送りされ、植付装置１は機体の走行に伴って苗載台４の下方に設けられた上記植付部７の植付ビーク１１が左右横送りされる苗載台４から、載置されるマット苗を単位植付株毎に掻取って圃場に植え付ける構造となっている。
【０００９】
なお植付ビーク１１による掻き取り苗の本数は、エプロン９の上下平行移動により植付ビーク１１とエプロン９との位置関係を変更せしめて、植付ビーク１１によるマット苗の掻き込み量を変更することで調節することができ、つまりこれにより苗の植付け本数を調節することができる。また苗載台４はエプロン９の上下スライドに従ってエプロン９と共に上下スライド移動する。
【００１０】
一方上記エプロン９には図２に示されるようにマット苗の掻き取り口として切り欠き状の苗取り口９ｂが植付部７（植付ビーク１１）に対応して設けられており、植付ビーク１１が苗取り口９ｂを植付作動軌跡Ａに沿って上から下に向って通り抜けながらマット苗を掻き取るように構成されているが、上記苗取り口９ｂには植付ビーク１１によるマット苗の掻取り及び植付け時に掻取り苗の左右側を植付方向に案内する苗ガイド１６が設けられており、次に該苗ガイド１６の構造について説明する。
【００１１】
図３に示されるように上記苗ガイド１６は、植付ビーク１１によるマット苗の掻取り時に、マット苗から掻き取られた掻取り苗の左右側をガイドする掻取りガイド１７と、植付ビーク１１による掻取り苗の圃場側への搬送を掻取り苗の左右側においてガイドする搬送ガイド１８とからなり、後述するように掻取りガイド１７がエプロン９に取り付けられているとともに、搬送ガイド１８が植付機１におけるエプロン９及び苗載台４の移動に対する固定側となるプランタケース３側に各々設けられている。
【００１２】
このとき上記掻取りガイド１７は、図３，４に示されるように苗取り口９ｂよりもやや広い間隔をなす左右一対のプレート状の側壁１７ａ，１７ｂが、エプロン９への取付用の側面視において略Ｌ字形をなすフランジ１９ａを備えた取付部１９に固定された構造となっており、苗取り口９ｂと上記左右両側壁１７ａ，１７ｂにより、マット苗から植付ビーク１１により掻き取られた掻取り苗の掻取り時から掻取り直後にかけての移動通路２１が形成せしめられるように、ボルト２２等によって取付部１９（フランジ１９ａ）がエプロン９に着脱自在に固定されて設けられている。
【００１３】
一方搬送ガイド１８は、図３，５に示されるように掻取りガイド１７の左右両側壁１７ａ，１７ｂよりもやや広い間隔をなす左右一対のプレート状の側壁１８ａ，１８ｂがプランタケース３側への取付用のプレート状のフランジ２３ａを備えた取付部２３に固定された構造となっており、植付ビーク１１による掻取り苗の圃場側への搬送時の搬送通路２４が形成せしめられるように、掻取りガイド１７に続けてボルト２６等によって取付部２３（フランジ２３ａ）がプランタケース３側に着脱自在に固定されて設けられている。
【００１４】
なお本実施形態においては取付部２３が前述のエプロン支持板５にボルト２６により着脱自在に固定されることで、搬送ガイド１８がプランタケース３側に着脱自在に固定されている。またエプロン支持板５には掻取り苗の搬送時に掻取り苗に当接しながら植付ビーク１１の植付作動軌跡Ａに沿って撓み変形することにより掻取り苗を植付方向に案内するワイヤ状のシュータ２８が搬送通路２４内に位置するように取り付けられている。
【００１５】
このとき図３に示されるように掻取りガイド１７は、搬送ガイド１８の両側壁１８ａ，１８ｂ間に掻取りガイド１７の両側壁１７ａ，１７ｂが位置し、搬送ガイド１８の両側壁１８ａ，１８ｂ内に掻取りガイド１７の左右両側面１７ａ，１７ｂが挿入されるように、搬送ガイド１８と側面視において重複せしめられて配置されている。
【００１６】
なお掻取りガイド１７はエプロン９に取り付けられているため、前述のエプロン９の上下移動に伴って、エプロン９と共に上下移動するが、エプロン９の全移動ストロークにおいて常に搬送ガイド１８に重複するように設定されている。また掻取りガイド１７の両側壁１７ａ，１７ｂは掻取り苗の搬送方向に対して、前後方向（植付ビーク１１の植付作動軌跡Ａを含む平面方向）に延出している。
【００１７】
以上によって植付ビーク１１によりマット苗を掻取り、この掻き取られた掻取り苗を圃場側に搬送して圃場に植付ける際、植付ビーク１１によるマット苗の掻き取り時に掻取り苗の左右側を掻取りガイド１７の左右側壁１７ａ，１７ｂが植付方向に案内（ガイド）し、掻取り苗の圃場側への搬送を搬送ガイド１８の左右側壁１８ａ，１８ｂが掻取り苗の左右側においてガイドするため、苗掻取り及び搬送時の苗の姿勢乱れ等が防止され、安定した植付け作業が行われる。
【００１８】
特に植付苗の本数を変更せしめるためにエプロン９を上下移動せしめた場合でも、掻取りガイド１７がエプロン９と共に移動し、搬送ガイド１８がエプロン９の移動に対して固定されるので、掻取りガイド１７とエプロン９との位置関係が変化せず掻取りガイド１７がマット苗の掻き取り時のガイドを安定して行うとともに、搬送ガイド１８と植付ビーク１１の植付作動軌跡Ａとの位置関係が変化しないので、搬送ガイド１８が掻取り苗の搬送を安定してガイドし、エプロン９の移動に無関係に安定したガイド作用が与えられる。
【００１９】
また搬送ガイド１８の両側壁１８ａ，１８ｂ間に掻取りガイド１７の両側壁１７ａ，１７ｂが位置するように側面視において重複せしめて搬送ガイド１８と掻取りガイド１７とが配置されているため、掻取りガイド１７と搬送ガイド１８とが連続して掻取り苗をガイドし、掻取り苗のガイドがより安定するが、掻取り苗の搬送経路（移動通路２１及び搬送通路２４）内に苗の搬送方向に対する突起が発生しないため、掻取り苗がより円滑に搬送され、ガイド効果がスポイルされることはない。
【００２０】
また植付ビーク１１はマット苗の掻き取り作業を、マット苗を植付作動軌跡Ａに従って若干後方側に引きながら行うが、掻取りガイド１７の左右両側壁１７ａ，１７ｂが前述のように前後方向に延出しているため、掻取りガイド１７が掻き取り時の掻取り苗の前後変動に対応し、ガイドがより確実且つ安定的に行われる。なお掻取りガイド１７及び搬送ガイド１８はボルト２２，２６等によりそれぞれ取り付けられているが、シュータ２８もボルト等により固定されているため、掻取りガイド１７，搬送ガイド１８，シュータ２８それぞれ着脱が容易であり、掻取りガイド１７，搬送ガイド１８，シュータ２８が不要な場合、それぞれ簡単に取り外すことができ、圃場条件等に応じたより効率的なガイドを行うことができる。
【００２１】
【発明の効果】
以上のように構成される本発明の構成によれば、植付苗の本数を変更せしめるためにエプロンを上下移動せしめた場合でも、掻取りガイドはエプロンと共に移動し、搬送ガイドはエプロンの移動に対して固定されるため、掻取りガイドがエプロンと共に移動して苗の掻き取り時のガイドを安定して行うとともに、搬送ガイドが植付ビークの植付作動軌跡に対して移動しないので、掻取り苗の搬送を安定してガイドするという利点がある。
【００２２】
このとき搬送ガイドと掻取りガイドとを、搬送ガイドの両側壁間に掻取りガイドの両側壁が位置するように側面視において重複せしめて配置することで、掻取りガイドと搬送ガイドとが連続して掻取り苗をガイドするため、掻取り苗のガイドがより安定するが、掻取り苗の搬送経路（移動通路及び搬送通路）内に苗の搬送方向に対する突起が発生しないため、掻取り苗がより円滑に搬送されるという効果もある。
【図面の簡単な説明】
【図１】植付機の要部側面図である。
【図２】植付機の要部平面図である。
【図３】苗載台下方の要部拡大側面図である。
【図４】掻取りガイドの分解斜視図である。
【図５】搬送ガイドの分解斜視図である。
【符号の説明】
４      苗載台
９      エプロン
１１    植付ビーク
１６    苗ガイド
１７    掻取りガイド
１７ａ  側壁
１７ｂ  側壁
１８    搬送ガイド
１８ａ  側壁
１８ｂ  側壁
２１    移動通路
２４    搬送通路
【図１】
0004080598.tif 000002
【図２】
0004080598.tif 000003
【図３】
0004080598.tif 000004
【図４】
0004080598.tif 000005
【図５】
0004080598.tif 000006